【手続補正書】
【提出日】平成16年10月8日(2004.10.8)
【手続補正１】
【補正対象書類名】明細書
【補正対象項目名】発明の名称
【補正方法】変更
【補正の内容】
【発明の名称】画像形成システム及び画像出力サービス
【手続補正２】
【補正対象書類名】明細書
【補正対象項目名】特許請求の範囲
【補正方法】変更
【補正の内容】
【特許請求の範囲】
【請求項１】
少なくとも１台以上の記憶手段を有する画像形成装置をネットワークに接続し、該ネットワークを介して情報の伝達と該情報により前記画像形成装置からの画像出力を行う画像形成システムにおいて、
前記ネットワークに接続される少なくとも１台以上の画像形成装置の有する個人情報を記憶した記憶媒体を、該ネットワークに接続される任意の画像形成装置に接続し、
前記記憶媒体に記憶した個人情報を用いて個人情報の認証を行った後、
前記任意の画像形成装置が該ネットワークに接続される画像形成装置の画像出力の制御を行うことを特徴とする画像形成システム。
【請求項２】
前記記憶媒体に記憶される個人情報は、前記記憶媒体を前記ネットワークに接続される任意の画像形成装置に接続し、
該記憶媒体に該ネットワークに接続される少なくとも１台以上の画像形成装置の有する個人情報の書込を行い、記憶させることを特徴とする請求項１に記載の画像形成システム。
【請求項３】
前記記憶媒体を前記ネットワークに接続される任意の画像形成装置に接続し、
該記憶媒体に前記画像形成システムに接続される画像形成装置に記憶される個人情報の情報の書き込みを行うことを特徴とする請求項１に記載の画像形成システム。
【請求項４】
前記記憶媒体が携帯可能な形状を有することを特徴とする請求項１〜３のいずれか１項に記載の画像形成システム。
【請求項５】
前記任意の画像形成装置により行われる前記ネットワークに接続される画像形成装置の画像出力の制御が、
該任意の画像形成装置が該ネットワークに接続される他の画像形成装置の有する画像データを画像出力するものであることを特徴とする請求項１〜４のいずれか１項に記載の画像形成システム。
【請求項６】
前記任意の画像形成装置により行われる前記ネットワークに接続される画像形成装置の画像出力の制御が、
ユーザの出力希望する画像データを有する画像形成装置より画像出力するものであることを特徴とする請求項１〜４のいずれか１項に記載の画像形成システム。
【請求項７】
前記任意の画像形成装置により行われる前記ネットワークに接続される画像形成装置の画像出力の制御が、
前記任意の画像形成装置の認証した個人情報を有する画像形成装置より画像出力するものであることを特徴とする請求項１〜４のいずれか１項に記載の画像形成システム。
【請求項８】
前記任意の画像形成装置により行われる前記ネットワークに接続される画像形成装置の画像出力の制御が、
前記任意の画像形成装置と前記任意の画像形成装置の認証した個人情報を有する画像形成装置とを連動させて画像出力するものであることを特徴とする請求項７に記載の画像形成システム。
【請求項９】
少なくとも１台以上の記憶手段を有する画像形成装置をネットワークに接続し、該ネットワークへのアクセスを許可されたユーザからの画像出力指示を該ネットワークを介して前記画像形成装置から画像出力を行い、前記ネットワークに接続された画像形成装置に記憶される画像出力記録に基づいて料金請求を行う画像出力サービスにおいて、
前記画像出力記録は、該ネットワークに接続される少なくとも１台以上の画像形成装置の有する個人情報を記憶し、該ネットワークに接続される任意の画像形成装置に接続し、該記憶された個人情報により個人情報の認証を行う記憶媒体に、該ネットワークに接続される画像形成装置毎に整理して記憶され、
前記記憶媒体を前記認証を行った画像形成装置に接続し、該記憶媒体の有する画像出力記録を用いて請求料金を算出し、該認証を行った画像形成装置の出力手段より料金請求書の発行を行うことを特徴とする画像出力サービス。
【請求項１０】
前記料金請求書に前記画像形成装置の記憶手段に記憶される広告情報を前記請求料金の情報に合成して、広告情報を掲載した料金請求書の発行を行うことを特徴とする請求項９に記載の画像出力サービス。
【手続補正３】
【補正対象書類名】明細書
【補正対象項目名】０００１
【補正方法】変更
【補正の内容】
【０００１】
【発明の属する技術分野】
本発明は、ネットワークに接続可能な画像形成システムに関し、更に詳しくは、データの蓄積と管理を行う専用サーバを設置することなく、画像形成装置に個人情報の一元管理を行うサーバとしての機能を付与して、ネットワーク上の画像形成装置からのプリント出力の制御を行う画像形成システム及び前記画像形成システムによるユーザへのプリントサービスに対する課金システムである料金請求書発行を行う画像出力サービスに関する。
【手続補正４】
【補正対象書類名】明細書
【補正対象項目名】００１６
【補正方法】変更
【補正の内容】
【００１６】
すなわち、本発明の第１の目的は、ネットワーク上にデータを一元管理するサーバを設けずに、ネット上の任意の画像形成装置からプリント出力を行う際に、プリント出力したいデータがその画像形成装置に収録されていなくても、プリント出力の可能な画像形成システムを提供することである。
【手続補正５】
【補正対象書類名】明細書
【補正対象項目名】００１８
【補正方法】変更
【補正の内容】
【００１８】
本発明の第３の目的は、ネットワークに接続され複数のユーザが画像形成装置を共有してプリント出力を行う画像形成システムでプリント出力を行う際に、個人の出力するプリントを他の人にみだりに見られたり、或いは他人が無断で個人の画像データを不正に出力することのない画像データへのセキュリティの配慮された画像形成システムを提供することである。
【手続補正６】
【補正対象書類名】明細書
【補正対象項目名】００１９
【補正方法】変更
【補正の内容】
【００１９】
本発明の第４の目的は、ネットワーク上に専用サーバを設置することなく、ユーザが出力希望する画像形成装置から円滑にプリント出力の行うことの可能な画像形成システムを提供することである。
【手続補正７】
【補正対象書類名】明細書
【補正対象項目名】００２０
【補正方法】変更
【補正の内容】
【００２０】
本発明の第５の目的は、ネットワークに接続され複数のユーザが画像形成装置を共有してプリント出力を行う画像形成システムにおいて、例えば急ぎのプリント出力指示が来た時に先約のプリント出力を止めて急ぎのプリント出力を優先させる様なプリント出力の優先機能を有する画像形成システムを提供することである。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】変更
【補正の内容】
【００４２】
請求項１に記載の発明は、「少なくとも１台以上の記憶手段を有する画像形成装置をネットワークに接続し、該ネットワークを介して情報の伝達と該情報により前記画像形成装置からの画像出力を行う画像形成システムにおいて、前記ネットワークに接続される少なくとも１台以上の画像形成装置の有する個人情報を記憶した記憶媒体を、該ネットワークに接続される任意の画像形成装置に接続し、前記記憶媒体に記憶した個人情報を用いて個人情報の認証を行った後、前記任意の画像形成装置が該ネットワークに接続される画像形成装置の画像出力の制御を行うことを特徴とする画像形成システム。」というものである。
【手続補正２８】
【補正対象書類名】明細書
【補正対象項目名】００４３
【補正方法】変更
【補正の内容】
【００４３】
請求項１に記載の発明によれば、ネットワーク上の任意の画像形成装置に個人情報の認証を行う機能を付与することにより、ネットワーク上に個人情報の一元管理を行うための専用サーバをわざわざ設置する必要がなく、ネットワーク上の各画像形成装置に分散収録される画像データの管理をネットワーク上の任意の画像形成装置で行うことを可能にすることで、ネットワーク上の画像形成装置からのプリント出力を一元管理する画像形成システムの提供を可能にした。
【手続補正２９】
【補正対象書類名】明細書
【補正対象項目名】００４４
【補正方法】変更
【補正の内容】
【００４４】
また、請求項１に記載の発明によれば、ユーザはネットワークに接続される個々の画像形成装置に個人情報の設定登録することなく、認証後はネットワークに接続される全ての画像形成装置からの画像出力が可能で、ネットワーク上のあらゆる画像形成装置からのプリント出力を制御可能な利便性の優れた画像形成システムの提供を可能にした。さらに、ネットワーク上の各画像形成装置に分散して記憶される各ユーザのプリントデータを特定の画像形成装置が個人データ管理を行うことで、個人の画像データを他人に不正出力されない画像形成システムの提供を可能にした。
【手続補正３０】
【補正対象書類名】明細書
【補正対象項目名】００４５
【補正方法】変更
【補正の内容】
【００４５】
請求項２に記載の発明は、「前記記憶媒体に記憶される個人情報は、前記記憶媒体を前記ネットワークに接続される任意の画像形成装置に接続し、該記憶媒体に該ネットワークに接続される少なくとも１台以上の画像形成装置の有する個人情報の書込を行い、記憶させることを特徴とする請求項１に記載の画像形成システム。」である。
【手続補正３１】
【補正対象書類名】明細書
【補正対象項目名】００４６
【補正方法】変更
【補正の内容】
【００４６】
請求項３に記載の発明は、「前記記憶媒体を前記ネットワークに接続される任意の画像形成装置に接続し、該記憶媒体に前記画像形成システムに接続される画像形成装置に記憶される個人情報の情報の書き込みを行うことを特徴とする請求項１に記載の画像形成システム。」である。
【手続補正３２】
【補正対象書類名】明細書
【補正対象項目名】００４７
【補正方法】変更
【補正の内容】
【００４７】
請求項２及び３に記載の発明によれば、ネットワークに接続される任意の画像形成装置により記憶媒体の初期化を行うことが可能なので、ユーザは記憶媒体の初期化作業が容易に行えるとともに、ネットワークに接続された各画像形成装置に収録される個人情報をネットワーク上の任意の画像形成装置から収録することが可能なので、ユーザは各画像形成装置に記憶媒体を接続することなく迅速かつ容易に記憶媒体への個人情報収録を行うことが可能である。
【手続補正３３】
【補正対象書類名】明細書
【補正対象項目名】００４８
【補正方法】変更
【補正の内容】
【００４８】
請求項４に記載の発明は、「前記記憶媒体が携帯可能な形状を有することを特徴とする請求項１〜３のいずれか１項に記載の画像形成システム。」である。
【手続補正３４】
【補正対象書類名】明細書
【補正対象項目名】００４９
【補正方法】変更
【補正の内容】
【００４９】
請求項４に記載の発明によれば、画像形成装置への個人情報を供給する記憶媒体がユーザの携帯可能な形態を有することで、各ユーザの記憶媒体の管理及び輸送、及びその取扱いの極めて容易な画像形成システムの提供が可能になる。
【手続補正３５】
【補正対象書類名】明細書
【補正対象項目名】００５０
【補正方法】変更
【補正の内容】
【００５０】
請求項５に記載の発明は、「前記任意の画像形成装置により行われる前記ネットワークに接続される画像形成装置の画像出力の制御が、該任意の画像形成装置が該ネットワークに接続される他の画像形成装置の有する画像データを画像出力するものであることを特徴とする請求項１〜４のいずれか１項に記載の画像形成システム。」である。
【手続補正３６】
【補正対象書類名】明細書
【補正対象項目名】００５１
【補正方法】変更
【補正の内容】
【００５１】
請求項６に記載の発明は、「前記任意の画像形成装置により行われる前記ネットワークに接続される画像形成装置の画像出力の制御が、ユーザの出力希望する画像データを有する画像形成装置より画像出力するものであることを特徴とする請求項１〜４のいずれか１項に記載の画像形成システム。」である。
【手続補正３７】
【補正対象書類名】明細書
【補正対象項目名】００５２
【補正方法】変更
【補正の内容】
【００５２】
請求項７に記載の発明は、「前記任意の画像形成装置により行われる前記ネットワークに接続される画像形成装置の画像出力の制御が、前記任意の画像形成装置の認証した個人情報を有する画像形成装置より画像出力するものであることを特徴とする請求項１〜４のいずれか１項に記載の画像形成システム。」である。
【手続補正３８】
【補正対象書類名】明細書
【補正対象項目名】００５３
【補正方法】変更
【補正の内容】
【００５３】
請求項８に記載の発明は、「前記任意の画像形成装置により行われる前記ネットワークに接続される画像形成装置の画像出力の制御が、前記任意の画像形成装置と前記任意の画像形成装置の認証した個人情報を有する画像形成装置とを連動させて画像出力するものであることを特徴とする請求項７に記載の画像形成システム。」である。
【手続補正３９】
【補正対象書類名】明細書
【補正対象項目名】００５４
【補正方法】変更
【補正の内容】
【００５４】
請求項５〜８に記載の発明によれば、ユーザは、予めネットワーク上に接続される画像形成装置の中からプリント出力を希望する画像形成装置を選択してプリント出力が可能なので、複数のユーザがネットワーク上の画像形成装置を共有する画像形成システムでプリント出力した時に、他人に見られたくない様なプリント出力を他の人からみだりに見られることがなく、或いは不正に出力されることのない画像形成システムの提供を可能にしている。
【手続補正４０】
【補正対象書類名】明細書
【補正対象項目名】００５５
【補正方法】削除
【補正の内容】
【手続補正４１】
【補正対象書類名】明細書
【補正対象項目名】００５６
【補正方法】削除
【補正の内容】
【手続補正４２】
【補正対象書類名】明細書
【補正対象項目名】００５７
【補正方法】削除
【補正の内容】
【手続補正４３】
【補正対象書類名】明細書
【補正対象項目名】００５８
【補正方法】削除
【補正の内容】
【手続補正４４】
【補正対象書類名】明細書
【補正対象項目名】００５９
【補正方法】削除
【補正の内容】
【手続補正４５】
【補正対象書類名】明細書
【補正対象項目名】００６０
【補正方法】削除
【補正の内容】
【手続補正４６】
【補正対象書類名】明細書
【補正対象項目名】００６１
【補正方法】変更
【補正の内容】
【００６１】
請求項９に記載の発明は、「少なくとも１台以上の記憶手段を有する画像形成装置をネットワークに接続し、該ネットワークへのアクセスを許可されたユーザからの画像出力指示を該ネットワークを介して前記画像形成装置から画像出力を行い、前記ネットワークに接続された画像形成装置に記憶される画像出力記録に基づいて料金請求を行う画像出力サービスにおいて、前記画像出力記録は、該ネットワークに接続される少なくとも１台以上の画像形成装置の有する個人情報を記憶し、該ネットワークに接続される任意の画像形成装置に接続し、該記憶された個人情報により個人情報の認証を行う記憶媒体に、該ネットワークに接続される画像形成装置毎に整理して記憶され、前記記憶媒体を前記認証を行った画像形成装置に接続し、該記憶媒体の有する画像出力記録を用いて請求料金を算出し、該認証を行った画像形成装置の出力手段より料金請求書の発行を行うことを特徴とする画像出力サービス。」である。
【手続補正４７】
【補正対象書類名】明細書
【補正対象項目名】００６２
【補正方法】変更
【補正の内容】
【００６２】
請求項９に記載の発明によれば、ユーザが利用したネットワーク上の全画像形成装置に対する料金が一枚の料金請求書で確認することが可能となり、料金請求書発行にあたっての紙の無駄な使用を防止するとともに、ユーザに対して明瞭な料金請求書の提供を可能にする画像出力サービスを実現した。
【手続補正４８】
【補正対象書類名】明細書
【補正対象項目名】００６３
【補正方法】変更
【補正の内容】
【００６３】
請求項１０に記載の発明は、「前記料金請求書に前記画像形成装置の記憶手段に記憶される広告情報を前記請求料金の情報に合成して、広告情報を掲載した料金請求書の発行を行うことを特徴とする請求項９に記載の画像出力サービス。」である。
【手続補正４９】
【補正対象書類名】明細書
【補正対象項目名】００６４
【補正方法】変更
【補正の内容】
【００６４】
請求項１０に記載の発明によれば、請求項９で達成した効果に加えて、画像出力サービスに対する料金請求書の中に広告情報を提供することにより、料金請求書の発行に際して使用される紙の代金を広告費より捻出することを可能にすると共に、料金請求書が情報提供の手段としても利用されることを可能にし、情報提供による付加価値を有する画像出力サービスの提供を達成している。
【手続補正５０】
【補正対象書類名】明細書
【補正対象項目名】０１２３
【補正方法】変更
【補正の内容】
【０１２３】
【発明の効果】
本発明によれば、データを一元管理するための専用サーバをネットワーク上に設けることなく、ネット上の任意の画像形成装置からプリント出力を行う際に、プリント出力希望のデータがその画像形成装置になくても、データを有する装置から該当データを取り寄せてプリント出力が可能で、ユーザの利用ニーズに応じた画像形成の可能な画像形成システムを達成する。
【手続補正５１】
【補正対象書類名】明細書
【補正対象項目名】０１２５
【補正方法】変更
【補正の内容】
【０１２５】
また、本発明によれば、ネットワークに接続され複数のユーザが画像形成装置を共有してプリント出力を行う画像形成システムや画像形成装置において、ネットワーク上に専用サーバを設置することなく、個人の出力するプリントを他の人にみだりに見られたり、或いは他人が無断で個人の画像データを不正に出力することのない画像データへのセキュリティの配慮された画像形成システムの提供が可能である。
【手続補正５２】
【補正対象書類名】明細書
【補正対象項目名】０１２６
【補正方法】変更
【補正の内容】
【０１２６】
また、本発明によれば、ネットワーク上に専用サーバを設置することなく、ユーザが出力希望する画像形成装置から円滑にプリント出力の行うことの可能な画像形成システムの提供が可能である。
【手続補正５３】
【補正対象書類名】明細書
【補正対象項目名】０１２７
【補正方法】変更
【補正の内容】
【０１２７】
また、本発明によれば、ネットワークに接続され複数のユーザが画像形成装置を共有してプリント出力を行う画像形成システムや画像形成装置において、例えば急ぎのプリント出力指示が来た時に先約のプリント出力を止めて急ぎのプリント出力を優先させる様なプリント出力の優先機能を有する画像形成システムの提供が可能である。
【手続補正５４】
【補正対象書類名】明細書
【補正対象項目名】０１２９
【補正方法】削除
【補正の内容】
【手続補正５５】
【補正対象書類名】明細書
【補正対象項目名】０１３０
【補正方法】削除
【補正の内容】
【手続補正５６】
【補正対象書類名】明細書
【補正対象項目名】０１３１
【補正方法】削除
【補正の内容】
【手続補正５７】
【補正対象書類名】明細書
【補正対象項目名】０１３２
【補正方法】削除
【補正の内容】
【手続補正５８】
【補正対象書類名】明細書
【補正対象項目名】０１３３
【補正方法】削除
【補正の内容】
【手続補正５９】
【補正対象書類名】明細書
【補正対象項目名】０１３４
【補正方法】削除
【補正の内容】
【手続補正６０】
【補正対象書類名】明細書
【補正対象項目名】０１３５
【補正方法】削除
【補正の内容】
【手続補正６１】
【補正対象書類名】明細書
【補正対象項目名】０１３６
【補正方法】削除
【補正の内容】
【手続補正６２】
【補正対象書類名】明細書
【補正対象項目名】０１３７
【補正方法】変更
【補正の内容】
【０１３７】
そして、上記課題を達成する本願請求項は、以下のとおりである。すなわち、
請求項１に記載の発明によれば、ネットワーク上の任意の画像形成装置に個人情報の認証を行う機能を付与することにより、ネットワーク上に個人情報の一元管理を行うための専用サーバをわざわざ設置する必要がなく、ネットワーク上の各画像形成装置に分散収録される画像データの管理をネットワーク上の任意の画像形成装置で行うことを可能にすることで、ネットワーク上の画像形成装置からのプリント出力を一元管理する画像形成システムの提供を可能にした。
【手続補正６３】
【補正対象書類名】明細書
【補正対象項目名】０１３８
【補正方法】変更
【補正の内容】
【０１３８】
また、請求項１に記載の発明によれば、ユーザはネットワークに接続される個々の画像形成装置に個人情報の設定登録することなく、認証後はネットワークに接続される全ての画像形成装置からの画像出力が可能で、ネットワーク上のあらゆる画像形成装置からのプリント出力を制御可能な利便性の優れた画像形成システムの提供を可能にした。さらに、請求項１に記載の発明によれば、ネットワーク上の各画像形成装置に分散して記憶される各ユーザのプリントデータを特定の画像形成装置が個人データ管理を行うことで、個人の画像データを他人に不正出力されない画像形成システムの提供を可能にした。
【手続補正６４】
【補正対象書類名】明細書
【補正対象項目名】０１３９
【補正方法】変更
【補正の内容】
【０１３９】
請求項２及び３に記載の発明によれば、ネットワークに接続される任意の画像形成装置により記憶媒体の初期化を行うことが可能なので、ユーザは記憶媒体の初期化作業が容易に行えるとともに、ネットワークに接続された各画像形成装置に収録される個人情報をネットワーク上の任意の画像形成装置から収録することが可能なので、ユーザは各画像形成装置に記憶媒体を接続することなく迅速かつ容易に記憶媒体への個人情報収録を行うことが可能である。
【手続補正６５】
【補正対象書類名】明細書
【補正対象項目名】０１４０
【補正方法】変更
【補正の内容】
【０１４０】
請求項４に記載の発明によれば、画像形成装置への個人情報を供給する記憶媒体がユーザの携帯可能な形態を有することで、各ユーザの記憶媒体の管理及び輸送、及びその取扱いの極めて容易な画像形成システムの提供が可能になる。
【手続補正６６】
【補正対象書類名】明細書
【補正対象項目名】０１４１
【補正方法】変更
【補正の内容】
【０１４１】
請求項５〜８に記載の発明によれば、ユーザは、予めネットワーク上に接続される画像形成装置の中からプリント出力を行いたい画像形成装置を選択してからプリント出力が可能なので、複数のユーザがネットワーク上の画像形成装置を共有する画像形成システムでプリント出力した時に、他人に見られたくない様なプリント出力を他の人からみだりに見られることがなく、或いは不正に出力されることのない画像形成システムの提供を可能にしている。
【手続補正６７】
【補正対象書類名】明細書
【補正対象項目名】０１４２
【補正方法】削除
【補正の内容】
【手続補正６８】
【補正対象書類名】明細書
【補正対象項目名】０１４３
【補正方法】削除
【補正の内容】
【手続補正６９】
【補正対象書類名】明細書
【補正対象項目名】０１４４
【補正方法】削除
【補正の内容】
【手続補正７０】
【補正対象書類名】明細書
【補正対象項目名】０１４５
【補正方法】変更
【補正の内容】
【０１４５】
請求項９に記載の発明によれば、ユーザが利用したネットワーク上の全画像形成装置に対する料金が一枚の料金請求書で確認することが可能となり、料金請求書発行にあたっての紙の無駄な使用を防止するとともに、ユーザに対して明瞭な料金請求書の提供を可能にする画像出力サービスを実現した。
【手続補正７１】
【補正対象書類名】明細書
【補正対象項目名】０１４６
【補正方法】変更
【補正の内容】
【０１４６】
請求項１０に記載の発明によれば、請求項９で達成した効果に加えて、画像出力サービスに対する料金請求書の中に広告情報を盛り込むことにより、料金請求書の発行に際して使用される紙の代金を広告費より捻出することを可能にすると共に、料金請求書が情報提供の手段としても利用されることを可能にし、情報提供による付加価値を有する画像出力サービスの提供を達成している。